(57)【要約】【課題】部品点数の削減化、構成の簡素化を図り、また、レンズに対する撮像素子の位置決めの自由度を大きく確保でき、小型化、コストダウンを図る上で有利な撮像装置を提供する。【解決手段】筐体１２は前ケース２０と後ケース２２とが着脱可能に結合されて構成され、前ケース２０にはレンズ１４が配設されている。レンズ１４は、その外周面を、鏡筒部２４の内周面に係合することで光軸と直交する方向の位置決めがなされて配設される。レンズカバー２８の雌ねじ２８０２を鏡筒部２４の雄ねじ２１１４に螺合することにより、レンズカバー２８の当接部２８Ｂと鏡筒部２４の当接面２４０８との間でレンズ１４が挟まれて保持される。撮像素子１６が搭載された第１基板１８Ａが前ケース２０の支持壁２０１０の後端面２０１０Ａに接着剤３２で取着される。【選択図】図１
2008033010.tif 000002
【特許請求の範囲】
【請求項１】
外装を構成する筐体と、
前記筐体の前部に組み込まれ撮影光学系を構成するレンズと、
前記筐体の内部に設けられ前記撮影光学系によって導かれた被写体像を撮像する撮像素子と、
前記筐体の内部に配設され前記撮像素子が搭載されたプリント配線基板と、
を含んで構成される撮像装置であって、
前記レンズの外周面にがたつくことなく該外周面に係合する内周面と、前記レンズが後方に向いた端面に当接可能な当接面とを有する鏡筒部が、前記筐体の前部に前記筐体と一体に設けられ、
前記鏡筒部に収容されたレンズの前方を向いた面を後方に押圧し前記当接面との間で前記レンズを挟んで保持する環状のレンズカバーが、前記鏡筒部の前部に着脱可能に設けられ、
前記鏡筒部の後端の半径方向外側で前記筐体の内部の箇所に、支持壁が後方に向けて突設され、
前記プリント配線基板は、前記支持壁に接着剤で取着されている、
ことを特徴とする撮像装置。
【請求項２】
前記支持壁は、前記鏡筒部の後端を挟んだ２箇所にそれぞれ設けられている、
ことを特徴とする請求項１記載の撮像装置。
【請求項３】
前記支持壁の後部は、前記撮影光学系の光軸と直交する平面上を延在する後端面を有し、
前記プリント配線基板は、前記後端面に接着剤で取着されている、
ことを特徴とする請求項１記載の撮像装置。
【請求項４】
前記筐体は、前ケースの後端と、後ケースの前端とが着脱可能に結合されることで構成され、
前記鏡筒部と前記支持壁は前記前ケースと一体に設けられ、
前記支持壁の後端に前記プリント配線基板が接着剤で取着され、
前記支持壁の後端は、前記前ケースの後端よりも後方に突出している、
ことを特徴とする請求項１記載の撮像装置。
【請求項５】
前記レンズの部分の全周にわたって延在するシール材が設けられ、
前記レンズカバーにより前記レンズが前記鏡筒部に保持された状態で、前記シール材は前後方向において圧縮される、
ことを特徴とする請求項１記載の撮像装置。
【請求項６】
前記プリント配線基板は、前記レンズによって導かれた前記被写体像が前記撮像素子の撮像面の中央に結像されるように前記レンズの光軸方向および光軸と直交する方向に位置調整された状態で取着されている、
ことを特徴とする請求項１記載の撮像装置。
【請求項７】
前記レンズは単一でありガラス製である、
ことを特徴とする請求項１記載の撮像装置。
【請求項８】
前記レンズは複数であり、
前記複数のレンズのうち、最も前方に位置するレンズがガラス製である、
ことを特徴とする請求項１記載の撮像装置。
【請求項９】
前記レンズカバーは、前記鏡筒部の前部外周の雄ねじに螺合する雌ねじを有する筒部と、前記筒部の前端に形成され前方を向いた前記レンズの前面の外周面に当接する環板状の当接部とを備えている、
ことを特徴とする請求項１記載の撮像装置。
【発明の詳細な説明】
【技術分野】
【０００１】
本発明は撮像装置に関する。
【背景技術】
【０００２】
ＣＣＤイメージセンサやＣＭＯＳイメージセンサなどの撮像素子を用いた撮像装置が提供されている。
このような撮像装置は、デジタルスチルカメラやビデオカメラとして用いられる他、自動車の車体の外部や車室内に取り付けられる自動車搭載用カメラとして、あるいは、屋外の監視カメラとして用いられる。
自動車搭載用カメラあるいは監視カメラとして用いられる撮像装置は、多くの場合、外装を構成する筐体と、筐体に組み込まれた鏡筒と、鏡筒に組み込まれ撮影光学系を構成するレンズと、筐体の内部に設けられ撮影光学系によって導かれた被写体像を撮像する撮像素子とを含んで構成されている（特許文献１参照）。
この特許文献１の撮像装置１０´は、図４に示すように、外装を構成する筐体５０と、筐体５０に組み込まれた鏡筒５２と、鏡筒５２に組み込まれ撮影光学系を構成するレンズ５４と、筐体５０の内部に設けられ撮影光学系によって導かれた被写体像を撮像する撮像素子５６と、鏡筒５２の前部に螺合されレンズ５４を鏡筒５２に固定するレンズカバー５８とを含んでいる。
また、撮像素子５６が実装されたプリント配線基板６４が筐体５０にねじ止めされている。
また、撮像装置１０´の組み立て時においてレンズ５４と撮像素子５６との距離を調整するため、鏡筒５２に設けた雄ねじ５２０２を筐体５０に設けた雌ねじ５００２に螺合して結合する。
また、防水性を確保するため、レンズ５４と鏡筒５２との間に第１のＯリング６０を設けるとともに、鏡筒５２と筐体５０との間にも第２のＯリング６２を設けている。
【特許文献１】特開２００５−２６６２７６
【発明の開示】
【発明が解決しようとする課題】
【０００３】
したがって、従来の撮像装置１０´は筐体５０と鏡筒５２とを個別に有するため、部品点数が多くなり構成が複雑となる不具合があった。
また、従来の撮像装置１０´では、プリント配線基板６４が筐体５０にねじ止めされ、撮像素子５６が筐体５０に対して固定されている。
そのため、レンズ５４と撮像素子５６との距離調整を行う場合、鏡筒５２を回転させ鏡筒５２の雄ねじ５２０２を筐体５０の雌ねじ５００２に螺合して行わなければならず、レンズ５４に対する撮像素子５６の位置決めの自由度が少ない不具合があった。
また、従来の撮像装置１０´は筐体５０と鏡筒５２とを個別に有するため、防水性を図るためには、レンズ５４と鏡筒５２との間と、鏡筒５２と筐体５０との間の双方に第１、第２のＯリング６０、６２を設けなくてならず、構成が複雑となっている。
本発明はこのような事情に鑑みなされたものであり、本発明の目的は、部品点数の削減化、構成の簡素化を図り、また、レンズに対する撮像素子の位置決めの自由度を大きく確保でき、小型化、コストダウンを図る上で有利な撮像装置を提供することにある。
【課題を解決するための手段】
【０００４】
上述の目的を達成するため、本発明は、外装を構成する筐体と、前記筐体の前部に組み込まれ撮影光学系を構成するレンズと、前記筐体の内部に設けられ前記撮影光学系によって導かれた被写体像を撮像する撮像素子と、前記筐体の内部に配設され前記撮像素子が搭載されたプリント配線基板とを含んで構成される撮像装置であって、前記レンズの外周面にがたつくことなく該外周面に係合する内周面と、前記レンズが後方に向いた端面に当接可能な当接面とを有する鏡筒部が、前記筐体の前部に前記筐体と一体に設けられ、前記鏡筒部に収容されたレンズの前方を向いた面を後方に押圧し前記当接面との間で前記レンズを挟んで保持する環状のレンズカバーが、前記鏡筒部の前部に着脱可能に設けられ、前記鏡筒部の後端の半径方向外側で前記筐体の内部の箇所に、支持壁が後方に向けて突設され、前記プリント配線基板は、前記支持壁に接着剤で取着されていることを特徴とする。
【発明の効果】
【０００５】
そのため、本発明によれば、レンズを収容する鏡筒部を筐体に一体に設け、レンズカバーを用いてレンズを鏡筒部に保持させるようにしたので、構成の簡素化および部品点数の削減化を図れ、小型化、低コスト化を図る上で有利となる。
また、撮像素子が搭載されたプリント配線基板を支持壁に接着剤で取着するようにしたので、レンズに対する撮像素子の位置決めの自由度を大きく確保できる。
また、防水性を確保するためには、レンズと鏡筒部との間に単一のシール材を配置すればよく、したがって、防水性を確保しつつ構成の簡素化や低コスト化を図る上で有利となる。
【発明を実施するための最良の形態】
【０００６】
次に本発明の実施の形態について図面を参照して説明する。
図１は本実施の形態に係る撮像装置１０の全体構成を示す断面図、図２は撮像素子１６およびプリント配線基板１８の組み付け前の撮像装置１０を示す断面図、図３は撮像素子１６およびプリント配線基板１８の組み付け後の撮像装置１０を示す断面図である。
図１に示す撮像装置１０は、例えば、自動車の車体の外部や車室内に取り付けられる自動車搭載用カメラあるいは屋外の監視カメラとして用いられるものである。
図１に示すように、撮像装置１０は、筐体１２、レンズ１４、撮像素子１６、プリント配線基板１８などを含んで構成されている。
なお、本明細書において撮影光学系の光軸方向で被写体側を前方といい、撮像素子側を後方という。
筐体１２は、撮像装置１０の外装を構成するものであって、前ケース２０と後ケース２２とが着脱可能に結合されて構成され、前ケース２０と後ケース２２は共に合成樹脂製である。
前ケース２０にはレンズ１４が配設され、後ケース２２には撮像素子１６やプリント配線基板１８が配設されている。
【０００７】
レンズ１４は、被写体像を撮像素子１６に導くものであり、本実施の形態では光軸方向に並べられた複数のレンズで構成されている。なお、図１乃至図３においては、図面の簡素化を図るために、複数のレンズを１つのレンズとして描いており、最も前方に位置するレンズは少なくともガラス製であり、残りのレンズはガラス製であってもよく合成樹脂製であってもよい。また、レンズ１４が単一のレンズで構成されていてもよい。
図２に示すように、レンズ１４は第１乃至第５外周面１４Ａ乃至１４Ｅを有し、それらは前方から後方に向けて並んでいる。
第１外周面１４Ａと第２外周面１４Ｂとの境の部分に、前方を向いた環状の端面１４０２が形成されている。
また、第２外周面１４Ｂと第３外周面１４Ｃとの境の部分に、後方を向いた環状の端面１４０４が形成され、第３外周面１４Ｃと第４外周面１４Ｄとの境の部分に、後方を向いた環状の端面１４０６が形成され、第４外周面１４Ｄと第５外周面１４Ｅとの境の部分に、後方を向いた環状の端面１４０８が形成され、第５外周面１４Ｅの後端には後方を向いた環状の端面１４１０が接続されている。
【０００８】
前ケース２０の前部に前ケース２０と一体に鏡筒部２４が設けられている。
図２に示すように、鏡筒部２４は、第２乃至第５内周面２４Ｂ乃至２４Ｅを有し、それらは前方から後方に向けて並んでいる。
第２内周面２４Ｂは第２外周面１４Ｂにがたつくことなく係合するように形成され、第３内周面２４Ｃは第３外周面１４Ｃにがたつくことなく係合するように形成され、第４内周面２４Ｄは第４外周面１４Ｄにがたつくことなく係合するように形成されている。
また、第２内周面２４Ｂと第３内周面２４Ｃの境の部分に前方を向いた環状の端面２４０２が形成され、第３内周面２４Ｃと第４内周面２４Ｄの境の部分に前方を向いた環状の端面２４０４が形成され、第４内周面２４Ｄと第５内周面２４Ｅの境の部分に前方を向いた環状の端面２４０６が形成され、第５内周面２４Ｅの後端には、前方を向いた環状の当接面２４０８が形成され、この当接面２４０８の内側は開口２４１０となっている。
さらに、第３内周面２４Ｃの前端と端面２４０２の内端とが交わる箇所には、Ｏリング装着用の溝２４１２が形成されている。
また、鏡筒部２４の前部の外周には雄ねじ２４１４が形成されている。
また、前ケース２０と後ケース２２は、前ケース２０の後端端面と後ケース２２の前端端面とが合わされて結合され、前ケース２０の後端端面には、後ケース２２の前端端面に水密に結合するように、その全周にわたりシール材挿入溝２００２が形成されている。なお、前ケース２０の後端端面と後ケース２２の前端端面との結合には、双方の外周面に複数のボス部を突設しそれらボス部をねじで結合するなど従来公知の様々な結合構造が用いられ、また、結合に際してはシール材挿入溝２００２にＯリングなどのシール材が挿入される。
【０００９】
鏡筒部２４の前部には環状のレンズカバー２８が着脱可能に設けられる。
レンズカバー２８は、筒部２８Ａと当接部２８Ｂを有し、合成樹脂製である。
筒部２８Ａは鏡筒部２４の雄ねじ２４１４に螺合する雌ねじ２８０２を有している。
当接部２８Ｂは筒部２８Ａの前端に形成され、鏡筒部２４に収容されたレンズ１４の前方を向いた環状の端面１４０２に当接する環板状を呈している。
【００１０】
鏡筒部２４の後端の半径方向外側で前ケース２０の内部の箇所に、支持壁２０１０が後方に向けて突設されている。
支持壁２０１０は、鏡筒部２４の後端を挟んだ２箇所にそれぞれ設けられている。
支持壁２０１０の後端は、前ケース２０の後端よりも後方に突出している。
支持壁２０１０の後端は、前記撮影光学系の光軸と直交する平面上を延在する後端面２０１０Ａを有している。
【００１１】
レンズ１４は、第２、第３、第４外周面１４Ｂ、１４Ｃ、１４Ｄのそれぞれを、鏡筒部２４の第２、第３、第４内周面２４Ｂ、２４Ｃ、２４Ｄのそれぞれに係合することで光軸と直交する方向の位置決めがなされて配設される。
その際、Ｏリングからなるシール材２６が鏡筒部２４の溝２４１２に挿入され、シール材２６はレンズ１４の端面１４０４と溝２４１２との間にレンズ１４の外周全周にわたって延在した状態で装着される。
そして、レンズカバー２８の雌ねじ２８０２を鏡筒部２４の雄ねじ２１１４に螺合することにより、当接部２８Ｂがレンズ１４の端面１４０２を後方に押圧しシール材２６を圧縮し、レンズ１４の端面１４１０を当接面２４０８に当て付けることでレンズ１４の光軸方向の位置決めがなされ、したがって、レンズカバー２８の当接部２８Ｂと鏡筒部２４の当接面２４０８との間でレンズ１４が挟まれて保持される。
【００１２】
図３に示すように、撮像素子１６は、ＣＣＤイメージセンサやＣＭＯＳイメージセンサなど従来公知の固体撮像素子であって、レンズ１４によって導かれた被写体像が撮像面（受光面）１６０６に結像されることで、その被写体像を撮像して撮像信号を出力するものである。
詳細に説明すると、撮像素子１６は、矩形板状のパッケージ１６０２と、パッケージ１６０２の厚さ方向の一方の面（前面）に開放状に形成された収容凹部１６０４と、収容凹部１６０４の底面に取着され撮像面１６０６を有する撮像センサ部１６０８と、収容凹部１６０４を覆いパッケージ１６０２の前面に接着され収容凹部１６０４を密閉する透明なガラス板（カバーガラス）１６１０とを含んで構成されている。
【００１３】
プリント配線基板１８は、撮像素子１６が搭載されるものであり、撮像素子１６に電源や駆動信号を供給すると共に、撮像素子１６からの撮像信号に対して所定の信号処理を行うことで映像信号を生成する信号処理回路が設けられている。
本実施の形態では、図１に示すように、プリント配線基板１８は、撮像素子１６のパッケージ１６０２の厚さ方向の他方の面（後面）が載置され実装される第１基板１８Ａと、前記信号処理回路が設けられ第１基板１８Ａの後方に配置された第２基板１８Ｂとで構成され、第１、第２基板１８Ａ、１８Ｂは不図示の配線部材によって電気的に接続されている。
第２基板１８Ｂは後ケース２２の内部に取着されている。
また、第２基板１８Ｂにはケーブル３０の一端が電気的に接続され、前記映像信号はケーブル３０を介してケーブル３０の他端に接続された外部の映像表示装置（ディスプレイ）に供給されるようになっている。
【００１４】
第１基板１８Ａは前ケース２０の２つの支持壁２０１０の後端面２０１０Ａに接着剤３２で取着され、この取着に際しては、次のような調整作業が行われる。
図３に示すように、第１基板１８Ａおよび前ケース２０は不図示の調整治具によって支持されており、調整治具は、第１基板１８Ａを、すなわち、撮像素子１６の撮像面１６０６を、レンズ１４の光軸方向とおよび光軸と直交する方向とに移動可能に、かつ、光軸を中心に回転可能に、かつ、光軸に対して傾動可能に保持している。
まず、レンズ１４の前方に所定のテスト画像が形成されたチャートを配置し、レンズ１４によってテスト画像を撮像素子１６の撮像面１６０６に結像させる。
そして、撮像素子１６によって撮像された画像データからレンズ１４の光学特性を測定する。光学特性としては、例えば、ＭＴＦ（Ｍｏｄｕｌａｔｉｏｎ  Ｔｒａｎｓｆｅｒ  Ｆｕｎｃｔｉｏｎ）を用いることができる。
そして、レンズ１４による光学特性が良好となるように、言い換えると、レンズ１４によって導かれた被写体像が撮像素子１６の撮像面１６０６の中央に良好な状態で（被写体像が撮像面１６０６の中央に結像され、結像された被写体像のピントが合い、結像された被写体像に歪みがない状態で）結像されるように第１基板１８Ａを調整治具によって前記各方向に変位あるいは傾動させる。
前記光学特性が最良となったならば、第１基板１８Ａと、支持壁２０１０の後端面２０１０Ａとの間に接着剤３２を塗布し、硬化させることで第１基板１８Ａを前ケース２０に取り付けて固定する。このような接着剤３２として、従来公知の様々な接着剤が使用可能である。本実施の形態では、紫外線硬化型接着剤を用い、第１基板１８Ａと、支持壁２０１０の後端面２０１０Ａとの間に紫外線硬化型接着剤を塗布したのち紫外線を照射して硬化させることで第１基板１８Ａを前ケース２０に取り付けて固定している。
【００１５】
本実施の形態によれば、レンズ１４を収容する鏡筒部２４を前ケース２０に一体に設け、レンズカバー２８を用いてレンズ１４を鏡筒部２４に保持させ、撮像素子１６が搭載された第１基板１８を支持壁２０１０の後端面２０１０Ａに接着剤３２で取着したので、構成の簡素化および部品点数の削減化を図れ、小型化、低コスト化を図る上で有利となる。
また、防水性を確保するためには、レンズ１４と鏡筒部２４との間に単一のシール材２６を配置すればよく、したがって、防水性を確保しつつ構成の簡素化や低コスト化を図る上で有利となる。
また、撮像素子１６が搭載された第１基板１８Ａを支持壁２０１０の後端面２０１０Ａに接着剤３２で取着するようにしたので、撮像素子１６の位置や姿勢を調整した後に第１基板１８Ａを前ケース２０に取り付けることができる。したがって、鏡筒の雄ねじを筐体の雌ねじに螺合することでレンズと撮像素子との距離調整を行う場合に比較して撮像素子１６の調整の自由度を確保し、レンズ１４の光学特性を良好にし、撮像素子１６に結像される被写体像を良好なものとする上で有利となる。
また、本実施の形態によれば、レンズ１４を構成する複数のうち最も前方に位置するレンズを少なくともガラス製としたので、レンズ１４の前部にレンズ保護用のカバーなどを設けることなく、レンズ１４の耐久性を確保することができ、構成の簡素化を図る上でより有利となる。
【００１６】
なお、実施の形態では、撮像装置１０が自動車搭載用カメラあるいは監視用カメラである場合について説明したが、本発明は、例えば、ＰＤＡ、ノート型パーソナルコンピュータ、カメラ付携帯電話機などの携帯情報端末、あるいは、デジタルスチルカメラ、ビデオカメラなどの種々の撮像装置に広く適用可能である。
【図面の簡単な説明】
【００１７】
【図１】本実施の形態に係る撮像装置１０の全体構成を示す断面図である。
【図２】撮像素子１６およびプリント配線基板１８の組み付け前の撮像装置１０を示す断面図である。
【図３】撮像素子１６およびプリント配線基板１８の組み付け後の撮像装置１０を示す断面図である。
【図４】従来の撮像装置１０´を示す断面図である。
【符号の説明】
【００１８】
１０……撮像装置、１２……筐体、１４……レンズ、１４Ａ〜１４Ｅ……第１〜第５外周面、１４０２、１４１０……端面、１６……撮像素子、１８……プリント配線基板、１８Ａ……第１基板、２０……前カバー、２０１０……支持壁、２２……後カバー、２４……鏡筒部、２４Ｂ〜２４Ｅ……第２〜第５内周面、２４０８……当接面、２６……シール材、２８……レンズカバー、３２……接着剤。
【図１】
2008033010.tif 000003
【図２】
2008033010.tif 000004
【図３】
2008033010.tif 000005
【図４】
2008033010.tif 000006